(57)【要約】【課題】手の爪に塗布された樹脂に光を照射して樹脂を硬化させるだけでなく、手の甲側の皮膚を美しくするネイル樹脂硬化装置を提供する。【解決手段】ネイル樹脂硬化装置１００は、手を上方から覆う上方カバー部１２０を備え、上方カバー部１２０が、爪に塗布された樹脂を硬化させる波長を含む光を照射する第１光源部１２１と、手の甲側に赤色の光、赤外線の光および青色の光の少なくとも１つを照射する第２光源部１２２とを有している。【選択図】図１
2018108340.tif 000002
【特許請求の範囲】
【請求項１】
手を上方から覆う上方カバー部を備えて上方から手の爪に塗布された樹脂に光を照射して樹脂を硬化させるネイル樹脂硬化装置において、
前記上方カバー部が、前記爪に塗布された樹脂を硬化させる波長を含む光を照射する第１光源部と、前記手の甲側に赤色の光、赤外線の光および青色の光の少なくとも１つを照射する第２光源部とを有していることを特徴とするネイル樹脂硬化装置。
【請求項２】
前記第１光源部が光を照射した後、前記第２光源部が光を照射する構成であることを特徴とする請求項１に記載のネイル樹脂硬化装置。
【請求項３】
前記上方カバー部の下方に配置されて手を下方から支持する下方支持部をさらに備え、
前記上方カバー部が、前記下方支持部に対して接近離間方向に揺動自在に設けられ、
前記上方カバー部における第１光源部の位置に対する第２光源部側が、前記上方カバー部における第１光源部側を中心に揺動する構成であることを特徴とする請求項１または請求項２に記載のネイル樹脂硬化装置。
【請求項４】
前記上方カバー部の下方に配置されて手を下方から支持する下方支持部をさらに備え、
前記下方支持部が、前記手を載せるための凹状の手形ガイドを有していることを特徴とする請求項１乃至請求項３のいずれか１つに記載のネイル樹脂硬化装置。
【請求項５】
前記爪に樹脂を吐出する吐出ヘッドをさらに備え、
前記吐出ヘッドが、所定方向に主走査しながら爪に樹脂を吐出する構成であることを特徴とする請求項１乃至請求項４のいずれか１つに記載のネイル樹脂硬化装置。
【請求項６】
前記主走査の方向が、前記爪の根元と先端とを結ぶ先後方向であり、
前記主走査に対する副走査の方向が、前記爪の幅方向であることを特徴とする請求項５に記載のネイル樹脂硬化装置。
【請求項７】
前記主走査の方向へ移動するキャリッジが、前記吐出ヘッド、光センサおよび第１光源部を搭載し、
前記光センサおよび第１光源部が、前記吐出ヘッドに対して主走査方向両側に配設されていることを特徴とする請求項６に記載のネイル樹脂硬化装置。
【請求項８】
前記第２光源部からの光が透過するとともに電流が流れる手袋をさらに備え、
前記手袋の指箇所先端の爪対応箇所に穴が設けられていることを特徴とする請求項１乃至請求項７のいずれか１つに記載のネイル樹脂硬化装置。
【請求項９】
光を透過させるとともに手の甲を覆う形状の電極をさらに備えていることを特徴とする請求項１乃至請求項７のいずれか１つに記載のネイル樹脂硬化装置。
【請求項１０】
手を上方から覆う上方カバー部を備えて手の爪に塗布された樹脂を硬化させるネイル樹脂硬化装置において、
前記上方カバー部が、前記爪に塗布された樹脂に送風する送風手段と、前記手の甲側に赤色の光、赤外線の光および青色の光の少なくとも１つを照射する光源部とを有していることを特徴とするネイル樹脂硬化装置。
【請求項１１】
手を上方から覆う上方カバー部を備えて手の甲側に光を照射する光照射装置において、
前記上方カバー部が、前記手の甲側に赤色の光を照射する光源部を有していることを特徴とする光照射装置。
【発明の詳細な説明】
【技術分野】
【０００１】
本発明は、手を上方から覆う上方カバー部を備えて上方から手の爪に塗布された樹脂に光を照射して樹脂を硬化させるネイル樹脂硬化装置、および、手を上方から覆う上方カバー部を備えて手の甲側に光を照射する光照射装置に関する。
【背景技術】
【０００２】
従来、上壁部と底部とから構成される開口部に入れられた手の指先の爪に塗られたゲル状の紫外線硬化樹脂に対して、上壁部の内壁に設けられた紫外線ＬＥＤ（発光ダイオード）を用いて紫外線を照射し、爪に塗られたゲル状の紫外線硬化樹脂を硬化させてジェルネイルを形成するジェルネイル硬化装置が知られている（例えば、特許文献１）。
【先行技術文献】
【特許文献】
【０００３】
【特許文献１】特開２０１３−２４８０３４号公報（特に、図１から図３参照）
【発明の概要】
【発明が解決しようとする課題】
【０００４】
しかしながら、上述した従来のジェルネイル硬化装置は、単に、紫外線硬化樹脂を硬化させる紫外線ＬＥＤのみが上壁部の内壁に配設された構造であったため、紫外線硬化樹脂を硬化させる際に、手の甲側の爪以外の皮膚に対して何も施すことができないという問題があった。
【０００５】
そこで、本発明は、前述したような従来技術の問題を解決するものであって、すなわち、本発明の目的は、手の爪に塗布された樹脂に光を照射して樹脂を硬化させるだけでなく、手の甲側の皮膚を美しくするネイル樹脂硬化装置を提供すること、および、手の甲側の皮膚を美しくする光照射装置を提供することである。
【課題を解決するための手段】
【０００６】
本請求項１に係る発明は、手を上方から覆う上方カバー部を備えて上方から手の爪に塗布された樹脂に光を照射して樹脂を硬化させるネイル樹脂硬化装置において、前記上方カバー部が、前記爪に塗布された樹脂を硬化させる波長を含む光を照射する第１光源部と、前記手の甲側に赤色の光、赤外線の光および青色の光の少なくとも１つを照射する第２光源部とを有していることにより、前述した課題を解決するものである。
【０００７】
本請求項２に係る発明は、請求項１に記載されたネイル樹脂硬化装置の構成に加えて、前記第１光源部が光を照射した後、前記第２光源部が光を照射する構成であることにより、前述した課題をさらに解決するものである。
【０００８】
本請求項３に係る発明は、請求項１または請求項２に記載されたネイル樹脂硬化装置の構成に加えて、前記上方カバー部の下方に配置されて手を下方から支持する下方支持部をさらに備え、前記上方カバー部が、前記下方支持部に対して接近離間方向に揺動自在に設けられ、前記上方カバー部における第１光源部の位置に対する第２光源部側が、前記上方カバー部における第１光源部側を中心に揺動する構成であることにより、前述した課題をさらに解決するものである。
【０００９】
本請求項４に係る発明は、請求項１乃至請求項３のいずれか１つに記載されたネイル樹脂硬化装置の構成に加えて、前記上方カバー部の下方に配置されて手を下方から支持する下方支持部をさらに備え、前記下方支持部が、前記手を載せるための凹状の手形ガイドを有していることにより、前述した課題をさらに解決するものである。
【００１０】
本請求項５に係る発明は、請求項１乃至請求項４のいずれか１つに記載されたネイル樹脂硬化装置の構成に加えて、前記爪に樹脂を吐出する吐出ヘッドをさらに備え、前記吐出ヘッドが、所定方向に主走査しながら爪に樹脂を吐出する構成であることにより、前述した課題をさらに解決するものである。
【００１１】
本請求項６に係る発明は、請求項５に記載されたネイル樹脂硬化装置の構成に加えて、前記主走査の方向が、前記爪の根元と先端とを結ぶ先後方向であり、前記主走査に対する副走査の方向が、前記爪の幅方向であることにより、前述した課題をさらに解決するものである。
【００１２】
本請求項７に係る発明は、請求項６に記載されたネイル樹脂硬化装置の構成に加えて、前記主走査の方向へ移動するキャリッジが、前記吐出ヘッド、光センサおよび第１光源部を搭載し、前記光センサおよび第１光源部が、前記吐出ヘッドに対して主走査方向両側に配設されていることにより、前述した課題をさらに解決するものである。
【００１３】
本請求項８に係る発明は、請求項１乃至請求項７のいずれか１つに記載されたネイル樹脂硬化装置の構成に加えて、前記第２光源部からの光が透過するとともに電流が流れる手袋をさらに備え、前記手袋の指箇所先端の爪対応箇所に穴が設けられていることにより、前述した課題をさらに解決するものである。
【００１４】
本請求項９に係る発明は、請求項１乃至請求項７のいずれか１つに記載されたネイル樹脂硬化装置の構成に加えて、光を透過させるとともに手の甲を覆う形状の電極をさらに備えていることにより、前述した課題をさらに解決するものである。
【００１５】
本請求項１０に係る発明は、手を上方から覆う上方カバー部を備えて手の爪に塗布された樹脂を硬化させるネイル樹脂硬化装置において、前記上方カバー部が、前記爪に塗布された樹脂に送風する送風手段と、前記手の甲側に赤色の光、赤外線の光および青色の光の少なくとも１つを照射する光源部とを有していることにより、前述した課題を解決するものである。
【００１６】
本請求項１１に係る発明は、手を上方から覆う上方カバー部を備えて手の甲側に光を照射する光照射装置において、前記上方カバー部が、前記手の甲側に赤色の光を照射する光源部を有していることにより、前述した課題を解決するものである。
【発明の効果】
【００１７】
本発明のネイル樹脂硬化装置は、手を上方から覆う上方カバー部と、爪に塗布された樹脂を硬化させる波長を含む光を照射する第１光源部とを備えていることにより、手の爪に塗布された樹脂に光を照射して樹脂を硬化させることができるばかりでなく、以下のような特有の効果を奏することができる。
【００１８】
本請求項１に係る発明のネイル樹脂硬化装置によれば、爪に塗布された樹脂を第１光源部の光によって硬化させる際に、手の甲側の皮膚に第２光源部の赤色の光が照射されると表皮のコラーゲンが増殖するため、手の甲側の皮膚を美しくすることができる。
さらに、手の甲側の皮膚に赤色の光が照射されると筋肉の元となる繊維芽細胞が活性化するため、手の甲側の見た目を若々しくすることができる。
【００１９】
より具体的には、手の小じわを目立たなくしたり、手の肌のキメを細かくしたり、手の艶や張りをより一層出したり、手の毛穴を収縮させたり、手の肌のたるみを目立たなくすることができる。
【００２０】
また、手の甲側の皮膚に第２光源部の赤外線の光が照射されると赤外線の光が浸透して手の内部が温められるとともに筋肉の元となる細胞が活性化されて筋繊維が太くなるため、手の肌の艶や張りをより一層出したり、手の毛穴を収縮させたり、手の肌のたるみや皺を目立たなくすることができる。
【００２１】
さらに、手の甲側の皮膚に第２光源部の青色の光が照射されるとニキビ菌が産生するポルフィリンと反応し、活性酵素が発生してニキビ菌を殺菌するため、手のニキビを目立たなくすることができる。
また、青色の光には抑制・沈静効果があり、ニキビ痕の赤みが沈静するため、手のニキビ痕を目立たなくすることができる。
さらに、皮脂腺が収縮するため、手の皮脂の分泌を抑えるとともに、手の毛穴を収縮させることができる。また、手の肌のキメを細かくすることができる。
【００２２】
本請求項２に係る発明のネイル樹脂硬化装置によれば、請求項１に係る発明が奏する効果に加えて、光を照射するタイミングが異なり、第１光源部からの光と第２光源部からの光とが混在しないため、それぞれ干渉せずに効果を発揮することができる。
さらに、第１光源部が先に光を照射するため、順序が逆の場合と比べて、樹脂を早いタイミングで硬化して樹脂が垂れることを回避できる。
【００２３】
本請求項３に係る発明のネイル樹脂硬化装置によれば、請求項１または請求項２に係る発明が奏する効果に加えて、手を下方支持部に載せるとき、および下方支持部から外すとき、上方カバー部と下方支持部との間隔が広くなって、爪が上方カバー部と接触しにくくなるため、爪の破損や樹脂の破損を回避することができる。
【００２４】
特に、爪に塗布された樹脂を硬化させるために下方支持部に手を載せる際、硬化前の樹脂が上方カバー部と接触して樹脂が変形してしまうことを回避することができる。
【００２５】
本請求項４に係る発明のネイル樹脂硬化装置によれば、請求項１乃至請求項３のいずれか１つに係る発明が奏する効果に加えて、下方支持部における所定の位置および向きに手の指が載せられて、手と第１光源部および第２光源部との相対的な位置関係が決まりやすくなるため、爪に塗布された樹脂を効果的に硬化させるとともに、手の甲側の皮膚をより一層効果的に美しくすることができる。
【００２６】
本請求項５に係る発明のネイル樹脂硬化装置によれば、請求項１乃至請求項４のいずれか１つに係る発明が奏する効果に加えて、手を下方支持部に置いたままで自動で爪に樹脂が塗布され、樹脂が爪に塗布されてから樹脂を硬化させるまで手を動かす必要がないため、爪に塗布された樹脂を殆ど歪みなく硬化させて精度よく爪を仕上げることができる。
【００２７】
本請求項６に係る発明のネイル樹脂硬化装置によれば、請求項５に係る発明が奏する効果に加えて、爪の幅方向に爪は大きく曲がる他方で爪の先後に爪は僅かに曲がるだけの傾向が大きくて先後方向を主走査方向とすることで爪と吐出ヘッドとの間のギャップが略一定となるため、吐出ヘッドの姿勢を変えずに一主走査において樹脂を吐出して精度よく樹脂を爪に塗布することができる。
【００２８】
本請求項７に係る発明のネイル樹脂硬化装置によれば、請求項６に係る発明が奏する効果に加えて、キャリッジの往動および復動の両方で爪の端で反射率の変化が検知されるため、爪の端を認識して樹脂を吐出することができる。
さらに、往動および復動の両方で吐出直後の樹脂に第１光源部の光が照射されるため、吐出直後の樹脂を硬化することができる。
【００２９】
本請求項８に係る発明のネイル樹脂硬化装置によれば、請求項１乃至請求項７のいずれか１つに係る発明が奏する効果に加えて、手の皮膚に微弱電流が流れて皮膚の深部から肌の表面までが刺激されるため、小じわを目立たなくしたり、肌のキメを細かくしたり、艶や張りをより一層出したり、毛穴を収縮させたり、肌のたるみを目立たなくすることができる。
【００３０】
本請求項９に係る発明のネイル樹脂硬化装置によれば、請求項１乃至請求項７のいずれか１つに係る発明が奏する効果に加えて、請求項８に係る発明の効果と同様、手の皮膚に微弱電流が流れて皮膚の深部から肌の表面までが刺激されるため、小じわを目立たなくしたり、肌のキメを細かくしたり、艶や張りをより一層出したり、毛穴を収縮させたり、肌のたるみを目立たなくすることができる。
【００３１】
本請求項１０に係る発明のネイル樹脂硬化装置によれば、爪に塗布された樹脂を送風手段による風によって硬化させる際に、請求項１に係る発明の効果と同様、手の甲側の皮膚に光源部の赤色の光が照射されると表皮のコラーゲンが増殖するため、手の甲側の皮膚を美しくすることができる。
さらに、手の甲側の皮膚に赤色の光が照射されると筋肉の元となる繊維芽細胞が活性化するため、手の甲側の見た目を若々しくすることができる。
【００３２】
より具体的には、手の小じわを目立たなくしたり、手の肌のキメを細かくしたり、手の艶や張りをより一層出したり、手の毛穴を収縮させたり、手の肌のたるみを目立たなくすることができる。
【００３３】
また、手の甲側の皮膚に光源部の赤外線の光が照射されると赤外線の光が浸透して手の内部が温められるとともに筋肉の元となる細胞が活性化されて筋繊維が太くなるため、手の肌の艶や張りをより一層出したり、手の毛穴を収縮させたり、手の肌のたるみや皺を目立たなくすることができる。
【００３４】
さらに、手の甲側の皮膚に光源部の青色の光が照射されるとニキビ菌が産生するポルフィリンと反応し、活性酵素が発生してニキビ菌を殺菌するため、手のニキビを目立たなくすることができる。
また、青色の光には抑制・沈静効果があり、ニキビ痕の赤みが沈静するため、手のニキビ痕を目立たなくすることができる。
さらに、皮脂腺が収縮するため、手の皮脂の分泌を抑えるとともに、手の毛穴を収縮させることができる。また、手の肌のキメを細かくすることができる。
【００３５】
本請求項１１に係る発明の光照射装置によれば、手の甲側の皮膚に光源部の赤色の光が照射されると表皮のコラーゲンが増殖するため、手の甲側の皮膚を美しくすることができる。
さらに、手の甲側の皮膚に赤色の光が照射されると筋肉の元となる繊維芽細胞が活性化するため、手の甲側の見た目を若々しくすることができる。
【００３６】
より具体的には、手の小じわを目立たなくしたり、手の肌のキメを細かくしたり、手の艶や張りをより一層出したり、手の毛穴を収縮させたり、手の肌のたるみを目立たなくすることができる。
【図面の簡単な説明】
【００３７】
【図１】本発明の第１実施例のネイル樹脂硬化装置の概略を示す斜視図。
【図２】図１に示す符号２から視た平面図。
【図３】図１に示す符号３から視た正面図。
【図４】図１に示す符号４から視た側面図。
【図５】本発明の第２実施例のネイル樹脂硬化装置の概略を示す平面図。
【図６】図５に示す符号６から視た側面図。
【図７】（Ａ）は図６に示す符号７Ａの箇所の拡大概念図、（Ｂ）は（Ａ）の符号７Ｂから視た拡大概念図。
【図８】本発明の第３実施例のネイル樹脂硬化装置の概略を示す平面図。
【図９】図８に示す符号９から視た側面図。
【図１０】本発明の第４実施例のネイル樹脂硬化装置の概略を示す平面図。
【図１１】図１０に示す符号１１から視た側面図。
【図１２】本発明の第５実施例のネイル樹脂硬化装置の概略を示す斜視図。
【図１３】（Ａ）は図１２に示す符号１３Ａから視た正面図、（Ｂ）は図１２に示す符号１３Ｂから視た背面図。
【図１４】図１２に示す符号１４から視た底面図。
【図１５】図１２に底面パネルを取り付けた状態を示す斜視図。
【図１６】図１４に底面パネルを取り付けた状態を示す底面図。
【発明を実施するための形態】
【００３８】
本発明のネイル樹脂硬化装置は、手を上方から覆う上方カバー部を備え、上方カバー部が、爪に塗布された樹脂を硬化させる波長を含む光を照射する第１光源部と、手の甲側に赤色の光、赤外線の光および青色の光の少なくとも１つを照射する第２光源部とを有していることにより、または、上方カバー部が、爪に塗布された樹脂に送風する送風手段と、手の甲側に赤色の光、赤外線の光および青色の光の少なくとも１つを照射する光源部とを有していることにより、手の爪に塗布された樹脂に光を照射して、または樹脂に風を送って樹脂を硬化させるだけでなく、手の甲側の皮膚を美しくするものであれば、その具体的な実施態様は、如何なるものであっても構わない。
【００３９】
さらに、本発明の光照射装置は、手を上方から覆う上方カバー部を備え、上方カバー部が、手の甲側に赤色の光を照射する光源部を有していることにより、手の甲側の皮膚を美しくするものであれば、その具体的な実施態様は、如何なるものであっても構わない。
例えば、ネイル樹脂硬化装置は、爪に樹脂を吐出する吐出ヘッドを有する構成でもよいし、吐出ヘッドを有しない構成でもよい。
第１光源部の光は、樹脂との関係で、樹脂を硬化させるものあれば、如何なるものでもよい。
例えば、使用する樹脂が、紫外線硬化樹脂である場合、第１光源部の光は、少なくとも紫外線を含むものであればよい。
【００４０】
また、第２光源部は、手の甲側の皮膚に美容効果を与えるために、赤色の光、赤外線の光および青色の光の少なくとも１つを照射すればよく、照射する光の成分（波長）が、赤色の光、赤外線の光および青色の光の少なくとも１つを含んでいればよい。
【００４１】
さらに、手の全ての指の爪に対して、同時に光を照射して爪に塗布された樹脂を同時に硬化させる構成でもよいし、一部の指の爪に対して、光を照射して樹脂を硬化させ、順番に指を変えて順番に樹脂を硬化させる構成でもよい。
【実施例１】
【００４２】
以下に、本発明の第１実施例であるネイル樹脂硬化装置１００について、図１乃至図４に基づいて説明する。
【００４３】
ここで、図１は、本発明の第１実施例のネイル樹脂硬化装置１００の概略を示す斜視図であり、図２は、図１に示す符号２から視た平面図であり、図３は、図１に示す符号３から視た正面図であり、図４は、図１に示す符号４から視た側面図である。
本発明の第１実施例であるネイル樹脂硬化装置１００は、図１乃至図４に示すように、下方支持部１１０と、上方カバー部１２０とを備えている。
このうち、下方支持部１１０は、手Ｈのひらを下方から支持するように構成されている。
また、上方カバー部１２０は、下方支持部１１０の上方に配設されて手Ｈの甲側を上方から覆うように構成されている。
上方カバー部１２０が、爪Ｎに塗布された樹脂Ｒを硬化させる光の一例として紫外線の波長を含む光を照射する第１光源部１２１を有している。
本実施例では、樹脂の一例として紫外線硬化樹脂（以下、単に樹脂とする）を使用し、樹脂Ｒを硬化させる光として紫外線を使用する。
【００４４】
具体的に第１光源部１２１は、紫外線を発光する紫外線ＬＥＤ１２１ａ（発光ダイオード）を有し、紫外線ＬＥＤ１２１ａは、下方支持部１１０に載せられた手Ｈの指の爪Ｎと対向する箇所やその近傍に複数配設されている。
これにより、上方から手Ｈの爪Ｎに塗布された樹脂Ｒに光を照射して樹脂Ｒを硬化させることができる。
なお、親指に爪Ｎについては、他の指の爪Ｎに塗布した樹脂Ｒを硬化させた後に、他の指を載せていた箇所に親指を載せて施行すればよい。
【００４５】
本実施例では、上方カバー部１２０が、第１光源部１２１に加えて、手Ｈの甲側に赤色の光、赤外線の光および青色の光の少なくとも１つとして赤色の光を照射する第２光源部１２２を有している。
【００４６】
具体的に第２光源部１２２は、赤色の光を照射する赤色ＬＥＤ１２２ａを有し、赤色ＬＥＤ１２２ａは、紫外線ＬＥＤ１２１ａよりも下方支持部１１０と上方カバー部１２０とによって形成される開口１３０の入口側で、手Ｈの甲と対向する箇所やその近傍に複数配設されている。
これにより、爪Ｎに塗布された樹脂Ｒを紫外線によって硬化させる際に、手Ｈの甲側の皮膚に赤色の光が照射されると表皮のコラーゲンが増殖する。
その結果、手Ｈの甲側の皮膚を美しくすることができる。
さらに、手Ｈの甲側の皮膚に赤色の光が照射されると筋肉の元となる繊維芽細胞が活性化する。
その結果、手Ｈの甲側の見た目を若々しくすることができる。
【００４７】
より具体的には、手Ｈの小じわを目立たなくしたり、手Ｈの肌のキメを細かくしたり、手Ｈの艶や張りをより一層出したり、手Ｈの毛穴を収縮させたり、手Ｈの肌のたるみを目立たなくすることができる。
【００４８】
なお、第２光源部１２２が、赤外線を手Ｈの甲側の皮膚に照射した場合、赤外線の光が浸透して手Ｈの内部が温められるとともに筋肉の元となる細胞が活性化されて筋繊維が太くなる。
その結果、手Ｈの肌の艶や張りをより一層出したり、手Ｈの毛穴を収縮させたり、手Ｈの肌のたるみや皺を目立たなくすることができる。
【００４９】
また、第２光源部１２２が、青色の光を手Ｈの甲側の皮膚に照射した場合、ニキビ菌が産生するポルフィリンと反応し、活性酵素が発生してニキビ菌を殺菌する。
その結果、手Ｈのニキビを目立たなくすることができる。
また、青色の光には抑制・沈静効果があり、ニキビ痕の赤みが沈静する。
その結果、手Ｈのニキビ痕を目立たなくすることができる。
さらに、皮脂腺が収縮する。
その結果、手Ｈの皮脂の分泌を抑えるとともに、手Ｈの毛穴を収縮させることができる。
また、手Ｈの肌のキメを細かくすることができる。
なお、第２光源部１２２の一例として、ＬＥＤだけでなく、ハロゲンランプ、蛍光管、アーク光線を用いてもよい。
そして、第２光源部１２２の波長は、３００ｎｍ〜１０００ｎｍである。
本実施例では、図１乃至図３に示すように、下方支持部１１０が、手Ｈを載せるための凹状の手形ガイド１１１を有している。
【００５０】
これにより、下方支持部１１０における所定の位置および向きに手Ｈの指が載せられて、手Ｈと第１光源部１２１および第２光源部１２２との相対的な位置関係が決まりやすくなる。
その結果、爪Ｎに塗布された樹脂Ｒを効果的に硬化させるとともに、手Ｈの甲側の皮膚を美しくすることができる。
なお、手形ガイド１１１は、左右いずれの手Ｈにも対応できる形状になっている。
また、上方カバー部１２０が、下方支持部１１０に対して接近離間方向に揺動自在に設けられている。
【００５１】
具体的には、上方カバー部１２０における第１光源部１２１の位置に対する第２光源部側が、上方カバー部１２０における第１光源部側の揺動軸１２３を中心に揺動する構成である。
【００５２】
これにより、手Ｈを下方支持部１１０に載せるとき、および下方支持部１１０から外すとき、上方カバー部１２０の自由端側と下方支持部１１０との間隔が広くなって、爪Ｎが上方カバー部１２０と接触しにくくなる。
その結果、爪Ｎの破損や樹脂Ｒの破損を回避することができる。
【００５３】
特に爪Ｎに塗布された樹脂Ｒを硬化させるために下方支持部１１０に手Ｈを載せる際、硬化前の樹脂Ｒが上方カバー部１２０と接触して樹脂Ｒが変形してしまうことを回避することができる。
また、上方カバー部１２０の上面には、電源ボタン１２４、操作ボタン１２５、およびボタンに対応した表示ランプ１２６が配設されている。
【００５４】
ユーザが、操作ボタン１２５を操作することにより、紫外線ＬＥＤ１２１ａを発光させて爪Ｎの樹脂Ｒに紫外線を照射するネイル樹脂硬化モードや、赤色ＬＥＤ１２２ａを発光させて手Ｈの甲側の皮膚に赤色の光を照射する美容モードなどを選択できるように構成されている。
例えば、第１光源部１２１が紫外線の光を照射した後、第２光源部１２２が赤色の光を照射する構成としてもよい。
これにより、光を照射するタイミングが異なり、第１光源部１２１からの紫外線の光と、第２光源部１２２からの赤色の光とが混在しない。
その結果、それぞれ干渉せずに効果を発揮することができる。
さらに、第１光源部１２１が先に光を照射するため、順序が逆の場合と比べて、樹脂Ｒを早いタイミングで硬化して樹脂Ｒが垂れることを回避できる。
【００５５】
なお、電源コード１４０を用いて、電源コンセントから電源を供給する構成としたが、ネイル樹脂硬化装置１００が内蔵バッテリーを備えて、ネイル樹脂硬化装置１００をコードレスタイプにしてもよいのは言うまでもない。
【００５６】
また、第１光源部１２１による紫外線の光の照射の後に、第２光源部１２２による赤色の光の照射を行う構成としたが、第１光源部１２１による紫外線の光の照射と、第２光源部１２２による赤色の光の照射を同時に行う構成としてもよい。
さらに、先に第２光源部１２２によって赤色の光を照射し、その後に第１光源部１２１によって紫外線の光を照射する構成としてもよい。
【００５７】
このようにして得られた本発明の第１実施例であるネイル樹脂硬化装置１００は、手Ｈを下方から支持する下方支持部１１０と、下方支持部１１０の上方に配設されて手Ｈを上方から覆う上方カバー部１２０とを備え、上方カバー部１２０が、爪Ｎに塗布された樹脂Ｒを硬化させる波長である紫外線を含む光を照射する第１光源部１２１と、手Ｈの甲側に赤色の光、赤外線の光および青色の光の少なくとも１つを照射する第２光源部１２２とを有していることにより、爪Ｎに塗布された樹脂Ｒを紫外線によって硬化させる際に、赤色の光を照射すると、手Ｈの小じわを目立たなくしたり、手Ｈの肌のキメを細かくしたり、手Ｈの艶や張りをより一層出したり、手Ｈの毛穴を収縮させたり、手Ｈの肌のたるみを目立たなくすることで、手Ｈの甲側の皮膚を美しくし、見た目を若々しくすることができ、赤外線の光を照射すると、手Ｈの肌の艶や張りをより一層出したり、手Ｈの毛穴を収縮させたり、手Ｈの肌のたるみや皺を目立たなくすることができ、青色の光を照射すると、手Ｈのニキビやニキビ痕を目立たなくすることができ、手Ｈの皮脂の分泌を抑えるとともに、手Ｈの毛穴を収縮させることができる。
【００５８】
さらに、第１光源部１２１が光を照射した後、第２光源部１２２が光を照射する構成であることにより、それぞれ干渉せずに効果を発揮することができ、順序が逆の場合と比べて、樹脂Ｒを早いタイミングで硬化して樹脂Ｒが垂れることを回避できる。
【００５９】
また、上方カバー部１２０が、下方支持部１１０に対して接近離間方向に揺動自在に設けられ、上方カバー部１２０における第１光源部１２１の位置に対する第２光源部側が、上方カバー部１２０における第１光源部側を中心に揺動する構成であることにより、手Ｈを下方支持部１１０に載せるとき、および下方支持部１１０から外すとき、爪Ｎの破損や樹脂Ｒの破損を回避することができる。特に爪Ｎに塗布された樹脂Ｒを硬化させるために下方支持部１１０に手Ｈを載せる際、硬化前の樹脂Ｒが上方カバー部１２０と接触して樹脂Ｒが変形してしまうことを回避することができる。
【００６０】
さらに、下方支持部１１０が、手Ｈを載せるための凹状の手形ガイド１１１を有していることにより、爪Ｎに塗布された樹脂Ｒを効果的に硬化させるとともに、手Ｈの甲側の皮膚をより一層効果的に美しくすることができるなど、その効果は甚大である。
【実施例２】
【００６１】
続いて、本発明の第２実施例であるネイル樹脂硬化装置２００について、図５乃至図７（Ｂ）に基づいて説明する。
【００６２】
ここで、図５は、本発明の第２実施例のネイル樹脂硬化装置２００の概略を示す平面図であり、図６は、図５に示す符号６から視た側面図であり、図７（Ａ）は、図６に示す符号７Ａの箇所の拡大概念図であり、図７（Ｂ）は、図７（Ａ）の符号７Ｂから視た拡大概念図である。
【００６３】
第２実施例のネイル樹脂硬化装置２００は、第１実施例のネイル樹脂硬化装置１００に走査しながら爪Ｎに対して樹脂Ｒを吐出する吐出ヘッドなどを追加したものであり、多くの要素について第１実施例のネイル樹脂硬化装置１００と共通するので、共通する事項については詳しい説明を省略し、下２桁が共通する２００番台の符号を付すのみとする。
【００６４】
本発明の第２実施例であるネイル樹脂硬化装置２００は、図５乃至図７（Ｂ）に示すように、第１キャリッジ２５０と、第１ガイド軸２６０と、第２キャリッジ２７０と、第２ガイド軸２８０とを備えている。
【００６５】
第１キャリッジ２５０は、第１ガイド軸２６０にガイドされ、図示しない第１駆動手段の動力により、手Ｈの爪Ｎの根元と先端とを結ぶ先後方向に走査自在に設けられている。
また、第１キャリッジ２５０および第１ガイド軸２６０は、第２キャリッジ２７０の内部に設けられている。
第２キャリッジ２７０は、第２ガイド軸２８０にガイドされ、図示しない第２駆動手段の動力により、手Ｈの幅方向に走査自在に設けられている。
【００６６】
第１キャリッジ２５０の走査、第２キャリッジ２７０の走査のいずれを主走査としてもよいが、本実施例では、第１キャリッジ２５０の走査を主走査、第２キャリッジ２７０の走査を副走査とする。
第１キャリッジ２５０は、吐出ヘッド２５１と、光センサ２５２と、第１光源部２２１の紫外線ＬＥＤ２２１ａとを有している。
吐出ヘッド２５１は、紫外線硬化インクや樹脂Ｒを吐出するノズルで構成されるノズル列２５１ａを有している。
【００６７】
例えば、ユーザが、図示しない表示パネルから所望の模様を選択すると、ネイル樹脂硬化装置２００に設けられた図示しない三次元カメラが、手形ガイド２１１の上に載った手Ｈを撮影し、ネイル樹脂硬化装置２００またはパーソナルコンピュータが、手Ｈの爪Ｎの位置、形状、爪Ｎの表面の曲率などを把握することができるように構成されている。
【００６８】
そして、第１キャリッジ２５０が主走査方向Ｘに走査しながら、吐出ヘッド２５１のノズル列２５１ａから紫外線硬化インクや樹脂Ｒが吐出され、第２キャリッジ２７０が副走査方向Ｙに僅かに移動し、第１キャリッジ２５０が走査しながら、ノズル列２５１ａから紫外線硬化インクや樹脂Ｒが吐出される。
【００６９】
この動作を繰り返すことにより、選択された模様が爪Ｎに描かれるとともに爪Ｎが樹脂Ｒでコーティングされるようにネイル樹脂硬化装置２００が構成されている。
【００７０】
これにより、手Ｈを下方支持部２１０に置いたままで自動で爪Ｎに樹脂Ｒが塗布され、樹脂Ｒが爪Ｎに塗布されてから樹脂Ｒを硬化させるまで手Ｈを動かす必要がない。
その結果、爪Ｎに塗布された樹脂Ｒを殆ど歪みなく硬化させて、精度よく爪Ｎを仕上げることができる。
さらに、図７（Ａ）および図７（Ｂ）に示すように、爪Ｎの幅方向に爪Ｎは大きく曲がるが、爪Ｎの先後に爪Ｎは僅かに曲がるだけの傾向が大きい。
爪Ｎの先後方向を主走査方向Ｘとすることで、爪Ｎと吐出ヘッド２５１との間のギャップが略一定となる。
その結果、吐出ヘッド２５１の姿勢を変えずに一主走査において樹脂Ｒを吐出して精度よく紫外線硬化インクや樹脂Ｒを爪Ｎに塗布することができる。
【００７１】
また、光センサ２５２は、例えば赤外線の光を発光する発光部（図示せず）と、反射した光を受ける受光部（図示せず）とを有して、反射率の変化を検知するように構成されている。
光センサ２５２は、ノズル列２５１ａに対して主走査方向Ｘの両側にそれぞれ配設されている。
また、紫外線ＬＥＤ２２１ａも、光センサ２５２と同様、ノズル列２５１ａに対して主走査方向Ｘの両側にそれぞれ配設されている。
これにより、主走査方向Ｘの往動および復動の両方において、爪Ｎの端で反射率の変化が検知される。
その結果、爪Ｎの端を認識できる。
さらに、往動および復動の両方で吐出直後の樹脂Ｒに紫外線が照射される。
その結果、吐出直後の樹脂Ｒを硬化することができる。
【００７２】
また、図７（Ｂ）に示すように、爪Ｎの幅方向の側端に対して紫外線硬化インクや樹脂Ｒを吐出する際、爪Ｎの表面の曲率に基づいて、図示しないアクチュエータを用いて第１ガイド軸２６０を中心に吐出ヘッド２５１を揺動させて吐出ヘッド２５１の姿勢を変え、ノズル列２５１ａが爪Ｎの表面に対して略垂直になるようにするとともに、図示しないアクチュエータを用いて高さ方向Ｚの下方へ第１ガイド軸２６０または第２ガイド軸２８０を移動させると、爪Ｎの表面と吐出ヘッド２５１との間のギャップが小さくなる。
これにより、紫外線硬化インクや樹脂Ｒが、爪Ｎの表面に確実に着弾する。
その結果、爪Ｎの幅方向端部であっても、きれいな模様をプリントするとともに樹脂コーティングすることができる。
【００７３】
さらに、爪Ｎの表面に紫外線硬化インクや樹脂Ｒを吐出（塗布）している最中に、第２光源部２２２の赤色ＬＥＤ２２２ａを手Ｈの甲側の皮膚に照射することにより、爪Ｎの表面に紫外線硬化インクや樹脂Ｒを吐出（塗布）しているときも、手Ｈの甲側の皮膚を美しくすることができる。
【００７４】
なお、手Ｈを手形ガイド２１１に載せる際、および手形ガイド２１１から外す際、上方カバー部２２０を下方支持部２１０に対して揺動させるとともに、図示しないアクチュエータを用いて、高さ方向Ｚの上方へ第１ガイド軸２６０または第２ガイド軸２８０を移動させると、爪Ｎが破損することをより確実に回避できる。
【００７５】
また、本実施例では、第１キャリッジ２５０に吐出ヘッド２５１を搭載して吐出ヘッド２５１を用いて紫外線硬化インクや樹脂Ｒを塗布する構成としたが、爪Ｎに描画自在なペンを搭載してペンを用いて爪Ｎに描画する構成としてもよいのは勿論である。
例えば、アクチュエータを用いてペンを爪Ｎに対して進退移動させてもよい。
【００７６】
さらに、本実施例では、爪Ｎの表面に紫外線硬化インクや樹脂Ｒを塗布する構成としたが、爪Ｎに既に塗られた樹脂Ｒやインクを研磨自在な研磨材を第１キャリッジ２５０または第２キャリッジ２７０に搭載し、第１キャリッジ２５０を主走査方向Ｘに超音波振動、または第２キャリッジ２７０を副走査方向Ｙに超音波振動させて、古い樹脂やインクを研磨して爪Ｎをきれいに整えてから、吐出ヘッド２５１を用いて紫外線硬化インクや樹脂Ｒを塗布する構成としてもよい。
これにより、爪Ｎに塗られた古いインクや樹脂は、きれいに削られて、新しいインクや樹脂Ｒののりがよくなる。
【００７７】
さらに、超音波振動の振幅が微小であるため、仮に研磨材が爪以外の皮膚と接触した場合であっても、皮膚が研磨材の振動に追従するため、皮膚に傷がつくことを回避できる。
【００７８】
また、爪Ｎの表面を研磨している最中に、第２光源部２２２の赤色ＬＥＤ２２２ａを手Ｈの甲側の皮膚に照射することにより、爪Ｎの表面を研磨しているときも、手Ｈの甲側の皮膚を美しくすることができる。
なお、吐出ヘッド２５１から、紫外線硬化インクや樹脂Ｒを吐出する構成としたが、紫外線によって硬化するタイプ以外のインクや樹脂でもよい。
【００７９】
その場合、第１光源部２２１をファンなどの送風手段に変更して、空気を撹拌して爪に塗布されたインクや樹脂に対して風を送るように構成にして、爪に塗布されたインクや樹脂を乾かすようにしてもよい。
【００８０】
このようにして得られた本発明の第２実施例であるネイル樹脂硬化装置２００は、爪Ｎに樹脂Ｒを吐出する吐出ヘッド２５１をさらに備え、吐出ヘッド２５１が、所定方向に主走査しながら爪Ｎに樹脂Ｒを吐出する構成であることにより、第１実施例の効果に加え、爪Ｎに塗布された樹脂Ｒを殆ど歪みなく硬化させて、精度よく爪Ｎを仕上げることができる。
【００８１】
さらに、主走査の方向が、爪Ｎの根元と先端とを結ぶ先後方向であり、主走査方向Ｘに対する副走査方向Ｙが、爪Ｎの幅方向であることにより、吐出ヘッド２５１の姿勢を変えずに一主走査において樹脂Ｒを吐出して精度よく樹脂Ｒを爪Ｎに塗布することができる。
【００８２】
また、主走査方向Ｘへ移動する第１キャリッジ２５０が、吐出ヘッド２５１、光センサ２５２および紫外線を照射する第１光源部２２１を搭載し、光センサ２５２および第１光源部２２１が、吐出ヘッド２５１に対して主走査方向Ｘの両側に配設されていることにより、主走査方向Ｘにおける往動および復動の両方で爪Ｎの端を認識できるとともに吐出直後の樹脂Ｒを硬化することができる。
【００８３】
さらに、上方カバー部２２０が、爪Ｎに塗布された樹脂Ｒに送風する送風手段と、手Ｈの甲側に赤色の光、赤外線の光および青色の光の少なくとも１つを照射する光源部としての第２光源部２２２とを有していることにより、爪に塗布された樹脂を送風手段による風によって硬化させる際に、赤色の光を照射すると、手Ｈの小じわを目立たなくしたり、手Ｈの肌のキメを細かくしたり、手Ｈの艶や張りをより一層出したり、手Ｈの毛穴を収縮させたり、手Ｈの肌のたるみを目立たなくすることで、手Ｈの甲側の皮膚を美しくし、見た目を若々しくすることができ、赤外線の光を照射すると、手Ｈの肌の艶や張りをより一層出したり、手Ｈの毛穴を収縮させたり、手Ｈの肌のたるみや皺を目立たなくすることができ、青色の光を照射すると、手Ｈのニキビやニキビ痕を目立たなくすることができ、手Ｈの皮脂の分泌を抑えるとともに、手Ｈの毛穴を収縮させることができるなど、その効果は甚大である。
【実施例３】
【００８４】
続いて、本発明の第３実施例であるネイル樹脂硬化装置３００について、図８および図９に基づいて説明する。
ここで、図８は、本発明の第３実施例のネイル樹脂硬化装置３００の概略を示す平面図であり、図９は、図８に示す符号９から視た側面図である。
【００８５】
第３実施例のネイル樹脂硬化装置３００は、第１実施例のネイル樹脂硬化装置１００に対して第２光源部１２２からの光が透過するとともに電流が流れる手袋を追加したものであり、多くの要素について第１実施例のネイル樹脂硬化装置１００と共通するので、共通する事項については詳しい説明を省略し、下２桁が共通する３００番台の符号を付すのみとする。
【００８６】
本発明の第３実施例であるネイル樹脂硬化装置３００は、図８および図９に示すように、第２光源部３２２からの光が透過するとともに電流が流れる手袋３９０をさらに備えている。
電流は、手Ｈの皮膚に刺激を与えて美肌効果を得るための微弱電流である。
微弱電流は、低周波刺激信号（低周波パルス）や高周波刺激信号（高周波パルス）を組み合わせたものでもよい。
電流は、ネイル樹脂硬化装置３００の本体から接続コード３９２を介して手袋３９０に流れる。
手袋３９０の指箇所先端の爪対応箇所に穴３９１が、設けられている。
つまり、手袋３９０の中に手Ｈを入れると、指の爪Ｎが、手袋３９０の先端の穴３９１から出るように手袋３９０が設けられている。
これにより、手Ｈの皮膚に微弱電流が流れて皮膚の深部から肌の表面までが刺激される。
【００８７】
その結果、手Ｈの小じわを目立たなくしたり、手Ｈの肌のキメを細かくしたり、手Ｈの艶や張りをより一層出したり、手Ｈの毛穴を収縮させたり、手Ｈの肌のたるみを目立たなくすることができる。
【００８８】
なお、本実施例において、手袋３９０は、第２光源部３２２からの光が透過する構成としたが、透過しない構成でもよい。第２光源部３２２を使用せず、手袋３９０の微弱電流による美肌効果だけでもよいからである。
また、上述した第２実施例の吐出ヘッドの構成と、本実施例の手袋３９０の構成とを組み合わせてもよいのは言うまでもない。
【００８９】
このようにして得られた本発明の第３実施例であるネイル樹脂硬化装置３００は、第２光源部３２２からの光が透過するとともに電流が流れる手袋３９０をさらに備え、手袋３９０の指箇所先端の爪対応箇所に穴３９１が設けられていることにより、第１実施例の効果に加え、手Ｈの小じわを目立たなくしたり、手Ｈの肌のキメを細かくしたり、手Ｈの艶や張りをより一層出したり、手Ｈの毛穴を収縮させたり、手Ｈの肌のたるみを目立たなくすることができるなど、その効果は甚大である。
【実施例４】
【００９０】
続いて、本発明の第４実施例であるネイル樹脂硬化装置４００について、図１０および図１１に基づいて説明する。
ここで、図１０は、本発明の第４実施例のネイル樹脂硬化装置４００の概略を示す平面図であり、図１１は、図１０に示す符号１１から視た側面図である。
【００９１】
第４実施例のネイル樹脂硬化装置４００は、第３実施例のネイル樹脂硬化装置３００の手袋３９０を手Ｈの甲を覆う形状の電極４９０に変更したものであり、多くの要素について第３実施例のネイル樹脂硬化装置３００と共通するので、共通する事項については詳しい説明を省略し、下２桁が共通する４００番台の符号を付すのみとする。
【００９２】
本発明の第４実施例であるネイル樹脂硬化装置４００は、図１０および図１１に示すように、第２光源部４２２の光を透過させるとともに手Ｈの甲を覆う形状の電極４９０をさらに備えている。
この電極４９０は、導体材料で形成され、手Ｈの甲側における爪以外の箇所を覆うように構成されている。
また、この電極４９０が、陽極、陰極のうちの陽極を構成し、手Ｈを下方から支持する下方支持部４１０が、陰極を構成する。
下方支持部４１０は、電気的にアースとなる。つまり、接地されている。
【００９３】
なお、本実施例において、電極４９０は、第２光源部４２２からの光が透過する構成としたが、透過しない構成でもよい。第２光源部４２２を使用せず、電極４９０の微弱電流による美肌効果だけでもよいからである。
【００９４】
微弱電流は、所謂、ガルバニック電流、ＥＭＳ（Electrical Muscle Stimulation）、低周波電流や中周波電流と呼ばれるものでもよい。
【００９５】
また、手Ｈの甲にジェルを塗って手Ｈの甲に電流が流れやすくしてもよいし、ジェルを手Ｈの甲に多めに塗ることにより、手Ｈの甲を覆う形状の電極４９０に代えて小さなサイズの電極を用いることもできる。
さらに、手Ｈの甲に、顔用パックと同様の液体を塗ってパックに電気を流してもよい。
【００９６】
このようにして得られた本発明の第４実施例であるネイル樹脂硬化装置４００は、光を透過させるとともに手Ｈの甲を覆う形状の電極４９０をさらに備えていることにより、第３実施例の効果と同様、手Ｈの小じわを目立たなくしたり、手Ｈの肌のキメを細かくしたり、手Ｈの艶や張りをより一層出したり、手Ｈの毛穴を収縮させたり、手Ｈの肌のたるみを目立たなくすることができるなど、その効果は甚大である。
【実施例５】
【００９７】
続いて、本発明の第５実施例であるネイル樹脂硬化装置５００について、図１２乃至図１６に基づいて説明する。
【００９８】
ここで、図１２は、本発明の第５実施例のネイル樹脂硬化装置５００の概略を示す斜視図であり、図１３（Ａ）は、図１２に示す符号１３Ａから視た正面図であり、図１３（Ｂ）は、図１２に示す符号１３Ｂから視た背面図であり、図１４は、図１２に示す符号１４から視た底面図であり、図１５は、図１２に底面パネルを取り付けた状態を示す斜視図であり、図１６は、図１４に底面パネルを取り付けた状態を示す底面図である。
【００９９】
第５実施例のネイル樹脂硬化装置５００は、第１実施例のネイル樹脂硬化装置１００の外観形状や内部の要素の配置を変更するとともに下方支持部５１０としての底面パネルを着脱自在にして下方支持部５１０なしでも使用可能にしたものであり、多くの要素について第１実施例のネイル樹脂硬化装置１００と共通するので、共通する事項については詳しい説明を省略し、下２桁が共通する５００番台の符号を付すのみとする。
本発明の第５実施例であるネイル樹脂硬化装置５００は、図１２乃至図１４に示すように、手Ｈを上方から覆う上方カバー部５２０を備えている。
【０１００】
上方カバー部５２０の寸法は、一例としての幅２３０ｍｍ、奥行き２５０ｍｍ、高さ８２ｍｍである。おおよそ、幅２００〜３００ｍｍ、奥行き２００〜３５０ｍｍ、高さ２０〜１５０ｍｍ程度であることが望ましい。
上方カバー部５２０の上面には、パイロットランプ５２６が設けられている。
また、図１２および図１３（Ａ）に示すように、ネイル樹脂硬化装置５００の正面側には、手Ｈを入れるための入り口５３１が設けられている。
【０１０１】
さらに、図１３（Ｂ）に示すように、ネイル樹脂硬化装置５００の背面側には、操作ボタン類として、電源ボタン５２４、青色ＬＥＤ強弱調整ボタン５２５ａ、青色ＬＥＤ発光時間選択ボタン５２５ｂ、赤色ＬＥＤ発光時間選択ボタン５２５ｃが設けられている。
【０１０２】
ここで、青色ＬＥＤ５２１ａの波長は、爪Ｎに塗布された樹脂Ｒを硬化させる波長を含み、青色ＬＥＤ５２１ａは、爪Ｎに塗布された樹脂Ｒを硬化させる波長を含む光を照射する第１光源部５２１を構成する。
また、赤色ＬＥＤ５２２ａは、第２光源部５２２を構成する。
【０１０３】
青色ＬＥＤ５２１ａの波長は、一例として樹脂硬化用の紫外線３６５ｎｍおよび殺菌・沈静効果を有する４０５ｎｍを含み、赤色ＬＥＤ５２２ａの波長は、一例として６９５ｎｍを含んでいる。
つまり、本実施例の青色ＬＥＤ５２１ａは、第１光源部５２１および第２光源部５２２の両方の機能を果たす。
【０１０４】
青色ＬＥＤ５２１ａの波長のスペクトル分布のピークが、おおよそ、２００〜４５０ｎｍ程度、赤色ＬＥＤ５２２ａの波長のスペクトル分布のピークが、６５０〜７３０ｎｍ程度であることが望ましい。
【０１０５】
図１４に示すように、上方カバー部５２０の内部の下面において、第１光源部５２１としての青色ＬＥＤ５２１ａは、手Ｈの甲全体がネイル樹脂硬化装置５００の入り口５３１から入れられて上方カバー部５２０の下方と対向する位置に置かれたときに、手Ｈの人差し指から小指のそれぞれの爪Ｎと対向する位置に配設されている。
【０１０６】
なお、左右の手Ｈに対応するべく、一例として左右幅方向に５つ配設され、右手の場合、人差し指から小指のそれぞれの爪Ｎは、右側の４つの青色ＬＥＤ５２１ａとそれぞれ対向し、左手の場合、人差し指から小指のそれぞれの爪Ｎは、左側の４つの青色ＬＥＤ５２１ａとそれぞれ対向する。
【０１０７】
また、上方カバー部５２０の内部の下面において、第２光源部５２２としての赤色ＬＥＤ５２２ａは、手Ｈの甲全体がネイル樹脂硬化装置５００の入り口５３１から入れられて上方カバー部５２０の下方と対向する位置に置かれたときに、手Ｈの甲と対向する位置に配設されている。
【０１０８】
さらに、第１光源部５２１としての青色ＬＥＤ５２１ａは、手Ｈの親指だけがネイル樹脂硬化装置５００の入り口５３１から入れられて上方カバー部５２０の下方と対向する位置に置かれたときに、親指の爪Ｎと対向する位置に配設されている。つまり、赤色ＬＥＤ５２２ａの位置より入り口５３１に近い位置に配設されている。
【０１０９】
そして、手Ｈの人差し指から小指のそれぞれの爪Ｎに樹脂Ｒを塗布した後、手Ｈの甲全体がネイル樹脂硬化装置５００の入り口５３１から入れられて上方カバー部５２０の下方と対向する位置に置かれ、青色ＬＥＤ５２１ａおよび赤色ＬＥＤ５２２ａを発光させる。
【０１１０】
これにより、手Ｈの人差し指から小指のそれぞれの爪Ｎに塗布された樹脂Ｒを硬化させる際、手Ｈの甲側の皮膚に第２光源部５２２の赤色の光が照射されると表皮のコラーゲンが増殖する。
その結果、手Ｈの甲側の皮膚を美しくすることができる。
さらに、手Ｈの甲側の皮膚に赤色の光が照射されると筋肉の元となる繊維芽細胞が活性化する。
その結果、手Ｈの甲側の見た目を若々しくすることができる。
【０１１１】
また、手Ｈの親指の爪Ｎに樹脂Ｒと塗布した後、手Ｈの親指だけがネイル樹脂硬化装置５００の入り口５３１から入れられて上方カバー部５２０の下方と対向する位置に置かれ、青色ＬＥＤ５２１ａを発光させる。
これにより、手Ｈの親指の爪Ｎに塗布された樹脂Ｒを硬化させることができる。
なお、図１３（Ｂ）および図１４に示すように、ネイル樹脂硬化装置５００の下方には、主電源スイッチ５４１が設けられている。
また、図１４に示すように、主電源スイッチ５４１に近傍には、図示しない交流アダプターの差し込み口５４２が設けられている。
さらに、図１５および図１６に示すように、下方支持部５１０としての底面パネルを上方カバー部５２０に対して取り付けてもよい。
【０１１２】
手Ｈの甲全体がネイル樹脂硬化装置５００の入り口５３１から入れられて上方カバー部５２０の下方と対向する位置に置かれる際に所望の領域に手Ｈが載置されるように、底面パネルには、所望領域の端に沿って突条５１２または凹溝が形成されている。
【０１１３】
また、手Ｈの親指だけがネイル樹脂硬化装置５００の入り口５３１から入れられて上方カバー部５２０の下方と対向する位置に置かれる際に所望の領域に親指が載置されるように、底面パネルには、所望領域に凹部５１３または凸部が形成されている。
【０１１４】
また、本実施例では、爪Ｎに塗布された樹脂Ｒを硬化させる波長を含む光を照射する第１光源部５２１と、手Ｈの甲側に赤色の光、赤外線の光および青色の光の少なくとも１つを照射する第２光源部５２２とを有しているネイル樹脂硬化装置５００として説明したが、第１光源部５２１を有さずに第２光源部５２２のみを有して例えば、赤色の光を手Ｈの甲側に照射して手Ｈの甲側の皮膚を美しくする光照射装置でもよい。
この場合、上方カバー部５２０の形状を上述した第４実施例の電極のように、手Ｈの甲の覆う形状にしてもよい。
第２光源部５２２の例えば、赤色の光を手Ｈの甲だけに照射する無駄のないデザインにすることができるからである。
【０１１５】
このようにして得られた本発明の第５実施例であるネイル樹脂硬化装置５００は、手Ｈを上方から覆う上方カバー部５２０を備え、上方カバー部５２０が、爪Ｎに塗布された樹脂Ｒを硬化させる波長を含む光を照射する第１光源部５２１と、手Ｈの甲側に赤色の光、赤外線の光および青色の光の少なくとも１つを照射する第２光源部５２２とを有していることにより、爪Ｎに塗布された樹脂Ｒを紫外線によって硬化させる際に、赤色の光を照射すると、手Ｈの小じわを目立たなくしたり、手Ｈの肌のキメを細かくしたり、手Ｈの艶や張りをより一層出したり、手Ｈの毛穴を収縮させたり、手Ｈの肌のたるみを目立たなくすることで、手Ｈの甲側の皮膚を美しくし、見た目を若々しくすることができ、赤外線の光を照射すると、手Ｈの肌の艶や張りをより一層出したり、手Ｈの毛穴を収縮させたり、手Ｈの肌のたるみや皺を目立たなくすることができ、青色の光を照射すると、手Ｈのニキビやニキビ痕を目立たなくすることができ、手Ｈの皮脂の分泌を抑えるとともに、手Ｈの毛穴を収縮させることができる。
【０１１６】
また、光照射装置は、手Ｈを上方から覆う上方カバー部５２０を備え、上方カバー部５２０が、手Ｈの甲側に赤色の光を照射する光源部（５２２）を有していることにより、手Ｈの小じわを目立たなくしたり、手Ｈの肌のキメを細かくしたり、手Ｈの艶や張りをより一層出したり、手Ｈの毛穴を収縮させたり、手Ｈの肌のたるみを目立たなくすることで、手Ｈの甲側の皮膚を美しくし、見た目を若々しくすることができるなど、その効果は甚大である。
【符号の説明】
【０１１７】
１００、  ２００、  ３００、  ４００、  ５００  ・・・  ネイル樹脂硬化装置
１１０、  ２１０、  ３１０、  ４１０、  ５１０  ・・・  下方支持部
１１１、  ２１１、  ３１１                      ・・・  手形ガイド
５１２  ・・・  突条
５１３  ・・・  凹部
１２０、  ２２０、  ３２０、  ４２０、  ５２０  ・・・  上方カバー部
１２１、  ２２１、  ３２１、  ４２１、  ５２１  ・・・  第１光源部
１２１ａ、２２１ａ、３２１ａ、４２１ａ          ・・・  紫外線ＬＥＤ
５２１ａ・・・  青色ＬＥＤ
１２２、  ２２２、  ３２２、  ４２２、  ５２２  ・・・  第２光源部
１２２ａ、２２２ａ、３２２ａ、４２２ａ、５２２ａ・・・  赤色ＬＥＤ
１２３、  ２２３、  ３２３、  ４２３            ・・・  揺動軸
１２４、  ２２４、  ３２４、  ４２４、  ５２４  ・・・  電源ボタン
１２５、  ２２５、  ３２５、  ４２５            ・・・  操作ボタン
５２５ａ・・・  青色ＬＥＤ強弱調整ボタン
５２５ｂ・・・  青色ＬＥＤ発光時間選択ボタン
５２５ｃ・・・  赤色ＬＥＤ発光時間選択ボタン
１２６、  ２２６、  ３２６、  ４２６            ・・・  表示ランプ
５２６  ・・・  パイロットランプ
１３０、  ２３０、  ３３０、  ４３０            ・・・  開口
５３１  ・・・  入り口
１４０、  ２４０、  ３４０、  ４４０            ・・・  電源コード
５４１  ・・・  主電源スイッチ
５４２  ・・・  差し込み口
２５０                                ・・・  第１キャリッジ
２５１                                ・・・  吐出ヘッド
２５１ａ                              ・・・  ノズル列
２５２                                ・・・  光センサ
２６０                                ・・・  第１ガイド軸
２７０                                ・・・  第２キャリッジ
２８０                                ・・・  第２ガイド軸
３９０                      ・・・  手袋
４９０            ・・・  電極
３９１                      ・・・  穴
３９２、  ４９２            ・・・  接続コード
Ｈ  ・・・  手
Ｎ  ・・・  爪
Ｒ  ・・・  樹脂
Ｘ  ・・・  主走査方向
Ｙ  ・・・  副走査方向
Ｚ  ・・・  高さ方向
【図１】
2018108340.tif 000003
【図２】
2018108340.tif 000004
【図３】
2018108340.tif 000005
【図４】
2018108340.tif 000006
【図５】
2018108340.tif 000007
【図６】
2018108340.tif 000008
【図７】
2018108340.tif 000009
【図８】
2018108340.tif 000010
【図９】
2018108340.tif 000011
【図１０】
2018108340.tif 000012
【図１１】
2018108340.tif 000013
【図１２】
2018108340.tif 000014
【図１３】
2018108340.tif 000015
【図１４】
2018108340.tif 000016
【図１５】
2018108340.tif 000017
【図１６】
2018108340.tif 000018
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
手を上方から覆う上方カバー部を備えて上方から手の爪に塗布された樹脂に光を照射して樹脂を硬化させるネイル樹脂硬化装置において、
前記上方カバー部が、前記爪に塗布された樹脂を硬化させる波長を含む光を照射する第１光源部と、前記手の甲側に赤色の光を照射する赤色ＬＥＤである第２光源部とを有し、
前記第１光源部を発光させて前記爪の前記樹脂に前記樹脂を硬化させる波長を含む光を照射するネイル樹脂硬化モードと、前記赤色ＬＥＤを発光させて前記手の甲側の皮膚に前記赤色の光を照射する美容モードと、を選択できるように構成され、
前記赤色ＬＥＤは、前記第１光源部よりも前記上方カバー部によって形成される開口の入口側で、前記手の甲と対向する箇所やその近傍に複数配設されていることを特徴とするネイル樹脂硬化装置。
【請求項２】
前記赤色ＬＥＤの波長のスペクトル分布のピークが、６５０〜７３０ｎｍ程度であることを特徴とする請求項１に記載のネイル樹脂硬化装置。
【請求項３】
前記第１光源部が光を照射した後、前記第２光源部が光を照射する構成であることを特徴とする請求項１に記載のネイル樹脂硬化装置。
【請求項４】
前記上方カバー部の下方に配置されて手を下方から支持する下方支持部をさらに備え、
前記上方カバー部が、前記下方支持部に対して接近離間方向に揺動自在に設けられ、
前記上方カバー部における第１光源部の位置に対する第２光源部側が、前記上方カバー部における第１光源部側を中心に揺動する構成であることを特徴とする請求項１乃至請求項３のいずれか１つに記載のネイル樹脂硬化装置。
【請求項５】
前記上方カバー部の下方に配置されて手を下方から支持する下方支持部をさらに備え、
前記下方支持部が、前記手を載せるための凹状の手形ガイドを有していることを特徴とする請求項１乃至請求項４のいずれか１つに記載のネイル樹脂硬化装置。
【請求項６】
前記爪に樹脂を吐出する吐出ヘッドをさらに備え、
前記吐出ヘッドが、所定方向に主走査しながら爪に樹脂を吐出する構成であることを特徴とする請求項１乃至請求項５のいずれか１つに記載のネイル樹脂硬化装置。
【請求項７】
前記主走査の方向が、前記爪の根元と先端とを結ぶ先後方向であり、
前記主走査に対する副走査の方向が、前記爪の幅方向であることを特徴とする請求項６に記載のネイル樹脂硬化装置。
【請求項８】
前記主走査の方向へ移動するキャリッジが、前記吐出ヘッド、光センサおよび第１光源部を搭載し、
前記光センサおよび第１光源部が、前記吐出ヘッドに対して主走査方向両側に配設されていることを特徴とする請求項７に記載のネイル樹脂硬化装置。
【請求項９】
前記第２光源部からの光が透過するとともに電流が流れる手袋をさらに備え、
前記手袋の指箇所先端の爪対応箇所に穴が設けられていることを特徴とする請求項１乃至請求項８のいずれか１つに記載のネイル樹脂硬化装置。
【請求項１０】
光を透過させるとともに手の甲を覆う形状の電極をさらに備えていることを特徴とする請求項１乃至請求項８のいずれか１つに記載のネイル樹脂硬化装置。
【請求項１１】
前記上方カバー部が、前記爪に塗布された樹脂に送風する送風手段を有していることを特徴とする請求項１乃至請求項８のいずれか１つに記載のネイル樹脂硬化装置。
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
手を上方から覆う上方カバー部を備えて上方から手の爪に塗布された樹脂に光を照射して樹脂を硬化させるネイル樹脂硬化装置において、
前記上方カバー部が、前記爪に塗布された樹脂を硬化させる波長を含む光を上方から下方に向けて照射する第１光源部と、前記手の甲側に赤色の光を上方から下方に向けて照射する赤色ＬＥＤである第２光源部とを有し、
前記第１光源部を発光させて前記爪の前記樹脂に前記樹脂を硬化させる波長を含む光を照射するネイル樹脂硬化モードと、前記赤色ＬＥＤを発光させて前記手の甲側の皮膚に前記赤色の光を照射する美容モードと、を選択できるように構成され、
前記赤色ＬＥＤは、前記第１光源部よりも前記上方カバー部によって形成される開口の入口側で、前記手の甲と対向する箇所やその近傍に複数配設され、
前記上方カバー部の下方に配置されて手を下方から支持する下方支持部をさらに備え、
前記下方支持部が、前記手を載せるためのガイドを有しており、
前記下方支持部は、着脱自在であり、
前記下方支持部材を取り除いた状態にて底面が解放されることを特徴とするネイル樹脂硬化装置。
【請求項２】
前記赤色ＬＥＤの波長のスペクトル分布のピークが、６５０〜７３０ｎｍ程度であることを特徴とする請求項１に記載のネイル樹脂硬化装置。
【請求項３】
前記第１光源部が光を照射した後、前記第２光源部が光を照射する構成であることを特徴とする請求項１に記載のネイル樹脂硬化装置。
【請求項４】
前記上方カバー部の下方に配置されて手を下方から支持する下方支持部をさらに備え、
前記上方カバー部が、前記下方支持部に対して接近離間方向に揺動自在に設けられ、
前記上方カバー部における第１光源部の位置に対する第２光源部側が、前記上方カバー部における第１光源部側を中心に揺動する構成であることを特徴とする請求項１乃至請求項３のいずれか１つに記載のネイル樹脂硬化装置。
【請求項５】
前記爪に樹脂を吐出する吐出ヘッドをさらに備え、
前記吐出ヘッドが、所定方向に主走査しながら爪に樹脂を吐出する構成であることを特徴とする請求項１乃至請求項４のいずれか１つに記載のネイル樹脂硬化装置。
【請求項６】
前記主走査の方向が、前記爪の根元と先端とを結ぶ先後方向であり、
前記主走査に対する副走査の方向が、前記爪の幅方向であることを特徴とする請求項５に記載のネイル樹脂硬化装置。
【請求項７】
前記主走査の方向へ移動するキャリッジが、前記吐出ヘッド、光センサおよび第１光源部を搭載し、
前記光センサおよび第１光源部が、前記吐出ヘッドに対して主走査方向両側に配設されていることを特徴とする請求項６に記載のネイル樹脂硬化装置。
【請求項８】
前記第２光源部からの光が透過するとともに電流が流れる手袋をさらに備え、
前記手袋の指箇所先端の爪対応箇所に穴が設けられていることを特徴とする請求項１乃至請求項７のいずれか１つに記載のネイル樹脂硬化装置。
【請求項９】
光を透過させるとともに手の甲を覆う形状の電極をさらに備えていることを特徴とする請求項１乃至請求項７のいずれか１つに記載のネイル樹脂硬化装置。
【請求項１０】
前記上方カバー部が、前記爪に塗布された樹脂に送風する送風手段を有していることを特徴とする請求項１乃至請求項７のいずれか１つに記載のネイル樹脂硬化装置。